(57)【要約】【課題】洗浄水排出の際の排出水量を容易に少なく調整し得て節水を果たすことができ、しかもコンパクトな洗浄タンクにも支障無く適用し得て内部干渉等の問題を生じることの無い排水弁装置を提供する。【解決手段】洗浄タンクの排水弁装置において、タンク底部１０及び排水弁１８とは別体の部材であって、筒状のスペーサ部５４を有するスペーサ部材５２を、タンク側の弁座１４と排水弁１８との間に介装して、閉弁時の排水弁１８の位置及び洗浄タンク内の洗浄水の排水高さ位置をスペーサ部５４の高さに応じて可変となす。【選択図】        図１
2008019655.tif 000002
【特許請求の範囲】
【請求項１】
洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置において、
前記タンク底部及び排水弁とは別体の部材であって、筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とするスペーサ部材を備え、
該スペーサ部材を前記タンク側弁座と排水弁との間に介装して、閉弁時の前記排水弁の位置及び前記洗浄タンク内の洗浄水の排水高さ位置を前記スペーサ部の高さに応じて可変となしたことを特徴とする洗浄タンクの排水弁装置。
【請求項２】
請求項１において、前記排水弁の脱着構造と同じ脱着構造で前記スペーサ部材が前記タンク底部に取り付けられるようになしてあるとともに、更に同じ脱着構造で前記排水弁が該スペーサ部材に取り付けられるようになしてあることを特徴とする洗浄タンクの排水弁装置。
【請求項３】
請求項１，２の何れかにおいて、前記スペーサ部材のスペーサ部は前記排水弁と同軸に配置されていることを特徴とする洗浄タンクの排水弁装置。
【請求項４】
請求項１〜３の何れかにおいて、前記スペーサ部材のスペーサ部は軸方向に伸縮可能とされていることを特徴とする洗浄タンクの排水弁装置。
【請求項５】
洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置の施工方法であって、
前記タンク底部及び排水弁とは別体の部材であって、筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とするスペーサ部材を用い、該スペーサ部材を前記タンク底部に取り付けた上で該スペーサ部材の上側に前記排水弁を取り付けることで排水弁装置を構築することを特徴とする洗浄タンクの排水弁装置の施工方法。
【請求項６】
洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置における該排水弁と前記タンク底部との間に介装される、前記タンク底部及び排水弁とは別体の部材のスペーサ部材であって、
筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とすることを特徴とする洗浄タンクの排水弁装置用のスペーサ部材。
【請求項７】
請求項６において、前記スペーサ部は軸方向に伸縮可能となしてあることを特徴とする洗浄タンクの排水弁装置用のスペーサ部材。
【発明の詳細な説明】
【技術分野】
【０００１】
この発明は洗浄タンクの排水弁装置とその施工方法及びそれに用いるスペーサ部材に関し、詳しくは洗浄タンク内の洗浄水の排出水量を調節可能な排水弁装置とその施工方法及びそれに用いるスペーサ部材に関する。
【背景技術】
【０００２】
洗浄タンク内部に貯えた洗浄水を排水弁の開弁により排出し、便器洗浄を行う排水弁装置として、従来図９に示すようなものが知られている。
同図において２００は洗浄タンクで、その上部に蓋を兼用した手洗鉢２０２が設けられている。この手洗鉢２０２からは手洗吐水管２０４が起立する形態で設けられている。
手洗吐水管２０４からの手洗水は手洗鉢２０２に落下した後、手洗鉢２０２の底部の排水孔を通じて洗浄タンク２００内部に落下する。
【０００３】
２０６は洗浄タンク２００内部に配設されたボールタップで、浮玉２０８の昇降に連動して給水及び給水停止を行う。
即ち、浮玉２０８が下降するとボールタップ２０６の弁部が開かれて吐水管２１０を通じ洗浄タンク２００内部に給水が行なわれる。
また一方洗浄タンク２００内部の水面Ｗの上昇につれて浮玉２０８が上昇し、そしてその水面Ｗが設定満水位に達すると、ボールタップ２０６の弁部が閉じて給水を停止する。
【０００４】
このボールタップ２０６からはまた、図示しない蛇腹管から成る導水管が延び出していて、その先端部が手洗吐水管２０４に接続され、洗浄タンク２００への給水時に、併せてこの導水管を通じて手洗吐水管２０４への給水が行われる。
【０００５】
洗浄タンク２００のタンク底部にはフロート弁から成る排水弁２１６が設けられており、その排水弁２１６に対して、洗浄タンク２００の壁部２００Ａに設けられた洗浄ハンドル２２０と一体に回転するＬ字状の作用レバー２２２の先端部が、鎖２２４を介して連結されている。
この排水弁装置では、洗浄ハンドル２２０が回転操作されると排水弁２１６が洗浄タンク２００のタンク底部に設けられた弁座（タンク側弁座）２１８から浮き上がって開弁し、ここにおいて洗浄タンク２００内の洗浄水が排水口２２６を通じて便器に向け排出される。
【０００６】
図９に示す洗浄タンク装置において、浮玉２０８の昇降運動は連動アーム２３６を介してボールタップ２０６の弁部に伝えられ、その弁部が開閉動作させられる。
而して浮玉２０８と連動アーム２３６とはボルト２３４にて連結されており、そのボルト２３４の浮玉２０８に対するねじ込み量を調節することで、浮玉２０８の位置を上下に調節することができる。
そしてこれにより、洗浄タンク２００内の満水時における洗浄水の貯水量を調節することができる。
【０００７】
詳しくは、ボルト２３４のねじ込み量の調節によって浮玉２０８の位置を上側に移動させると、洗浄タンク２００内への給水の際にボールタップ２０６の弁部が遅く閉じるようになり、洗浄タンク２００内により多くの水が給水される。
また逆に浮玉２０８の位置を下側に移動させると、洗浄タンク２００内への給水の際にボールタップ２０６の弁部が早く閉じるようになり、洗浄タンク２００内への給水量が少なく調節される。
【０００８】
従って浮玉２０８の位置をボルト２３４により上側又は下側に調節することで、満水時における洗浄水の水面Ｗの位置を上下に調節することができる。
即ち洗浄タンク２００への洗浄水の貯水量を調節することができる。
例えば大洗浄時において１０Ｌ（リットル）の洗浄水が排出される状態となっているとき、浮玉２０８の位置を下側に移動させることによってその洗浄水の排出水量を例えば８Ｌに調節して節水を行うことが可能である。
同様にして現在大洗浄時において８Ｌの洗浄水が排出される状態となっている場合、浮玉２０８の位置を更に下側に移動させることによって、洗浄水の排出水量を６Ｌに調節し、節水を行うといったことも可能である。
【０００９】
しかしながらこのようにして洗浄水の排出水量を大幅に少なくした場合、満水時における水面Ｗの位置が大幅に低下し、これに伴なって排水口２２６から洗浄水を排出する際の水の勢いが弱くなってしまう。
そしてこれにより便器洗浄の際の洗浄能率が低下し、便器洗浄を良好に行えなくなってしまうといった問題が生ずる。
【００１０】
一方、排出する洗浄水の水量を少なくして節水を行うための手段として、ペットボトル等の容器を洗浄タンク内に入れて、それによる排除体積分の水量を節水したり、或いはまた洗浄タンク内に排水弁及び排水口を大きく取り囲む仕切りを設けて、洗浄タンク内の残水量を多くし、節水を行うといったことも行われている。
例えば下記特許文献１には、大型の円形のドラムを排水弁や排水口、更にはオーバーフロー管を取り囲むように設け、それによる節水を行うようになしたものが開示されている。
しかしながらこれら何れの場合にも、近年とみにコンパクト化されている洗浄タンクでは、それら容器や仕切部材等が洗浄タンク内の他の部材と内部干渉してしまい、実際にそれらを洗浄タンク内に設けることが困難であるなど、実際への適用が困難化している。
【００１１】
【特許文献１】実開平５−１０５６９号公報
【発明の開示】
【発明が解決しようとする課題】
【００１２】
本発明は以上のような事情を背景とし、洗浄水排出の際の排出水量を容易に少なく調整し得て節水を果たすことができ、しかもコンパクトな洗浄タンクにも支障無く適用し得て内部干渉等の問題を生じることの無い、排水弁装置とその施工方法及びそれに用いるスペーサ部材を提供することを目的としてなされたものである。
【課題を解決するための手段】
【００１３】
而して請求項１は排水弁装置に関するもので、洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置において、前記タンク底部及び排水弁とは別体の部材であって、筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とするスペーサ部材を備え、該スペーサ部材を前記タンク側弁座と排水弁との間に介装して、閉弁時の前記排水弁の位置及び前記洗浄タンク内の洗浄水の排水高さ位置を前記スペーサ部の高さに応じて可変となしたことを特徴とする。
【００１４】
請求項２のものは、請求項１において、前記排水弁の脱着構造と同じ脱着構造で前記スペーサ部材が前記タンク底部に取り付けられるようになしてあるとともに、更に同じ脱着構造で前記排水弁が該スペーサ部材に取り付けられるようになしてあることを特徴とする。
【００１５】
請求項３のものは、請求項１，２の何れかにおいて、前記スペーサ部材のスペーサ部は前記排水弁と同軸に配置されていることを特徴とする。
【００１６】
請求項４のものは、請求項１〜３の何れかにおいて、前記スペーサ部材のスペーサ部は軸方向に伸縮可能とされていることを特徴とする。
【００１７】
請求項５は排水弁装置の施工方法に関するもので、洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置の施工方法であって、前記タンク底部及び排水弁とは別体の部材であって、筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とするスペーサ部材を用い、該スペーサ部材を前記タンク底部に取り付けた上で該スペーサ部材の上側に前記排水弁を取り付けることで排水弁装置を構築することを特徴とする。
【００１８】
請求項６は上記排水弁装置に用いられるスペーサ部材に関するもので、このスペーサ部材は、洗浄タンクにおけるタンク底部の排水口の周りに形成されたタンク側弁座と、下端部に該タンク側弁座への着座部を有し、該着座部の該タンク側弁座への着座及び上向きの離座によって該排水口を開閉する排水弁と、を有する洗浄タンクの排水弁装置における該排水弁と前記タンク底部との間に介装される、前記タンク底部及び排水弁とは別体の部材のスペーサ部材であって、筒状のスペーサ部を有し、該スペーサ部の下端部に形成されたスペーサ側着座部を前記タンク側弁座に着座させることによって、該スペーサ部とタンク側弁座との間を水密にシールし且つ該スペーサ部によって前記排水口を取り囲んで立ち上がる堰を形成するとともに、該スペーサ部の上端に形成されたスペーサ側弁座に前記排水弁を着座及び上向きに離座させ、該スペーサ部の上端のスペーサ側排水口を開及び閉とすることを特徴とする。
【００１９】
請求項７のものは、請求項６において、前記スペーサ部は軸方向に伸縮可能となしてあることを特徴とする。
【発明の作用・効果】
【００２０】
以上のように請求項１の排水弁装置は、タンク底部及び排水弁とは別体をなすスペーサ部材を、タンク側弁座即ちタンク底部と排水弁との間に介装し、閉弁時の排水弁の位置及び洗浄タンク内の洗浄水の排水高さ位置を、スペーサ部材のスペーサ部の高さに応じて可変となしたもので、本発明によれば、本来排水弁を着座させるためのタンク側弁座と排水弁との間にスペーサ部材を支うだけで、洗浄水排出後の洗浄タンク内の残水高さをスペーサ部の高さに応じて高くすることができ、これにより洗浄水の排出水量を少量化し得て節水を果たすことができる。
またこのスペーサ部材は排水弁やオーバーフロー管等をその外側から大きく取り囲むものでないため、近年のコンパクトな洗浄タンク内にも支障無く設けることができる。即ちタンク内の周辺の他部材との内部干渉を特に生ぜしめることなく設けることができる。
【００２１】
従って本発明の排水弁装置は、様々な洗浄タンクに対して適用することが可能であり、各種洗浄タンクに応じて節水を果たすことができる。
或いはまた、現場の状況に応じて洗浄タンク内の残水量即ち洗浄水排出時の排出水量をスペーサ部の高さに応じてコントロールすることができる。
また本発明では、満水時における洗浄水の水面の位置を特に下げること無く節水を行うことができるため、洗浄水の排出時の水の勢いを強く確保でき、従って便器に対する洗浄能力を高く維持することができる。
【００２２】
本発明では、排水弁の脱着構造と同じ脱着構造でスペーサ部材をタンク底部に取り付け、更に同じ脱着構造で排水弁をスペーサ部材に取り付けるようになすことができる（請求項２）。
このようにすることで、従来タンク底部のタンク側弁座に着座状態にある排水弁を一旦取り外してそこにスペーサ部材を取り付け、そしてそのスペーサ部材に排水弁を取り付けることで、既にある洗浄タンクにおいて洗浄水の排出水量を簡単に調節することが可能となる。
【００２３】
ここでスペーサ部材のスペーサ部は、排水弁と同軸に縦に即ち上下に配置しておくことができる（請求項３）。
このようにスペーサ部材を配置することで、かかるスペーサ部材と洗浄タンク内の他部材との干渉をより効果的に回避することが可能となる。
【００２４】
これらの場合において、スペーサ部材のスペーサ部は軸方向に伸縮可能となしておくことができる（請求項４）。
この請求項４によれば、スペーサ部の伸縮によりスペーサ部の高さを変化させることができ、これにより洗浄タンク内の洗浄水の節水量、つまり洗浄水の排出水量を、洗浄タンクの種類や大きさ等に応じて、或いはまた洗浄タンクの設置されている現場の状況に応じて適正に且つ簡単に調節することが可能となる。
【００２５】
次に請求項５は排水弁装置の施工方法に関するもので、この請求項５の施工方法によれば、洗浄タンク或いは排水弁装置の設置現場において、洗浄タンクの種類や形態或いは現場の状況に応じて、その設置現場で容易に洗浄水の排出水量の調節作業を行うことができる。
【００２６】
請求項６及び請求項７はスペーサ部材に関するもので、これらスペーサ部材を用いることで上記請求項１〜請求項５の発明を容易に実施することができる。
【発明を実施するための最良の形態】
【００２７】
次に本発明の実施形態を図面に基づいて詳しく説明する。
図２は比較例として従来の排水弁装置を表しており、同図において１０は洗浄タンクのタンク底部で、このタンク底部１０には円形の排水口１２と、排水口１２周りから立ち上がる高さの低い円筒形状の弁座（タンク側弁座）１４とが設けられている。
１６はタンク底部１０に設けられた、後述の排水弁１８の取付部であって、タンク底部１０から起立する立上り部１９と、立上り部１９の上端部に設けられた軸部２０とを有している。
【００２８】
上記排水弁１８は、小便時に少量の洗浄水を排出するための小洗浄用のフラッパ弁２２と、大便時により多量の洗浄水を排出するための大洗浄用のフロート弁２４とから成っている。
そしてそれぞれに鎖２６，２８の一端が接続され、それら鎖２６，２８の引上げによってフラッパ弁２２，フロート弁２４が開弁するようになっている。
尚鎖２６には浮玉３０が取り付けられ、その浮玉３０の浮力がフラッパ弁２２に働くようにされている。
【００２９】
一方フロート弁２４は、全体として円筒形状をなしており、その内側に洗浄水の通路３２が形成されている。
また円筒部の周壁部の内部には中空部３４が形成されており、フロート弁２４が中空構造とされている。
そしてその中空部３４に空気が封じ込められ、その空気による浮力がフロート弁２４に働くようになっている。
【００３０】
フラッパ弁２２は、開弁によりフロート弁２４の上端開口を開放し、洗浄タンク内の洗浄水をフロート弁２４の内側の通路３２を通じて排出させる。
また閉弁時にはフロート弁２４の上端開口を閉鎖し、通路３２を通じての洗浄水の排出を停止させる。
このときフラッパ弁２２は、その下面に設けられたゴム等の弾性材から成るシート状のパッキン３６をフロート弁２４の上端に弾性的に着座させて、フロート弁２４の上端開口を水密にシールする。
【００３１】
一方フロート弁２４の下端部には着座部３８が設けられており、そこにゴム等の弾性材から成る円形のシート状のパッキン４０が保持されている。
フロート弁２４は、このパッキン４０を弁座１４に弾性的に当接させる状態に弁座１４に着座し、排水口１２を閉鎖する。
また開弁時には排水口１２を開放して洗浄タンク内の洗浄水を排水口１２から便器に向けて排出させる。
【００３２】
フラッパ弁２２及びフロート弁２４は、それぞれ弁の本体部から延び出すアーム４２，４４を一体に有している。
フラッパ弁２２のアーム４２の先端部の下部には、下向きの弾性嵌合孔４８が設けられており、この弾性嵌合孔４８をフロート弁２４のアーム４４に設けられた軸部５０に対して下向きに且つ回転可能に弾性嵌合させることで、フラッパ弁２２がフロート弁２４に取り付けられる。
【００３３】
一方フロート弁２４のアーム４４の先端部の下部にも下向きの弾性嵌合孔４６が設けられており、この弾性嵌合孔４６を取付部１６における軸部２０に下向きに且つ回転可能に弾性嵌合させることで、フロート弁２４が取付部１６に取り付けられる。
即ちこの弾性嵌合孔４６を軸部２０に弾性嵌合させることで、フロート弁２４及びフラッパ弁２２から成る排水弁１８全体が取付部１６を介してタンク底部１０に取り付けられる。
【００３４】
上記のように図２は比較例として従来の排水弁装置を表しており、これに対して図１及び図３に本実施形態の排水弁装置が表されている。
図１において、５２はタンク底部１０及び排水弁１８とは別体を成すスペーサ部材であって、円筒形状のスペーサ部５４と、これから延び出すアーム５５とを有している。
ここでスペーサ部５４は排水口１２及び排水弁１８と同軸に配置してある。
アーム５５の先端部の下部には下向きの弾性嵌合孔５６が設けられている。
スペーサ部材５２は、この弾性嵌合孔５６を取付部１６の軸部２０に対して下向きに且つ回転可能に弾性嵌合させることで取付部１６に取り付けられる。
尚この弾性嵌合孔５６は、排水弁１８詳しくはフロート弁２４の弾性嵌合孔４６と同じ形状のものである。
【００３５】
アーム５５における弾性嵌合孔５６の上側には、軸部５８が一体に設けられている。
そしてこの軸部５８に対して、フロート弁２４の弾性嵌合孔４６を下向きに且つ回転可能に弾性嵌合させることで、フロート弁２４つまり排水弁１８全体がスペーサ部材５２に取り付けられている。
【００３６】
スペーサ部５４には、下部に円筒形状の小径部６０が設けられており、上側の大径部が弁座１４と同じ大きさ、即ち同じ外径及び内径とされている。
そして上記小径部６０の付根部が、段違い形状の着座部（スペーサ側着座部）６２とされ、かかる着座部６２が弁座１４に着座する状態に、スペーサ部材５２が取付部１６を介してタンク底部１０に取り付けられている。
【００３７】
而してこの取付状態の下で、即ち着座部６２が弁座１４に着座した状態の下で、それらの間が小径部６０の外周面に保持されたＯリング６１にて水密にシールされている。
またスペーサ部５４は、排水口１２を取り囲んで立ち上がる堰を形成し、この堰の高さ即ちスペーサ部５４の高さ分だけ、洗浄水排出後に洗浄タンク内に洗浄水を残水させるものとされている。
【００３８】
このスペーサ部５４の上端部には排水口（スペーサ側排水口）６４及び弁座（スペーサ側弁座）６６が形成されている。
この排水口６４は、フロート弁２４の弁座６６への着座（排水弁１８の閉弁）によって閉鎖され、またフロート弁２４の弁座６６からの離座（排水弁１８の開弁）によって、洗浄タンク内に開放される。
即ち排水弁１８の開弁によって、洗浄タンク内に貯えられた洗浄水がスペーサ部５４の排水口６４、更に洗浄タンク側の排水口１２を通じて便器側へと排出される。
ここでスペーサ側の弁座６６は、洗浄タンク側の弁座１４と基本的に同形状であり、またスペーサ側の排水口６４もまた、洗浄タンク側の排水口１２と基本的に同形状である。
【００３９】
スペーサ部５４には、その内部に爪支持部６８が設けられており、この爪支持部６８から弾性爪７０が立ち下がっている。
これら弾性爪７０の下端部には、外向きに折れ曲った掛止爪７２が設けられており、これら掛止爪７２が洗浄タンク側の円筒部７３の下端に掛止することで、スペーサ部５４が排水口１２から抜け防止される。
【００４０】
図１の排水弁装置は次のようにして構築することができる。
例えば図２に示すように排水弁１８が予めタンク底部１０に取り付けられている場合には、先ず排水弁１８の弾性嵌合孔４６、詳しくはフロート弁２４の弾性嵌合孔４６を取付部１６の軸部２０から上向きに外し、排水弁１８をタンク底部１０から一旦取り外す。
その上で図１に示しているようにスペーサ部材５２を、アーム５５の弾性嵌合孔５６を取付部１６の軸部２０に下向きに押し込んで弾性嵌合させ、また併せてスペーサ部５４の着座部６２を弁座１４に着座させることによって、タンク底部１０に取り付ける。
【００４１】
その後、一旦外した排水弁１８をスペーサ部材５２の上側に取り付ける。
具体的には、排水弁１８におけるフロート弁２４のアーム４４の弾性嵌合孔４６を、スペーサ部材５２のアーム５５に設けられた軸部５８に対し下向きに弾性嵌合させる。
ここにおいてスペーサ部材５２の上側に排水弁１８が取り付いた状態となる。
【００４２】
図１及び図２の比較から明らかなように、本実施形態の排水弁装置において、スペーサ部材５２のタンク底部１０への脱着構造は、排水弁１８のタンク底部１０への脱着構造と同じ構造となしてある。
このため、排水弁１８に代えて簡単にスペーサ部材５２をタンク底部１０に取り付けることができる。
更にまた、スペーサ部材５２に対する排水弁１８の脱着構造も、かかる排水弁１８のタンク底部１０への脱着構造と同じ構造となしてあるため、スペーサ部材５２を取り付けた状態で、排水弁１８をスペーサ部材５２に対しそのまま取り付けることができる。
【００４３】
図１に示す排水弁装置においては、図４に示しているように鎖２６を引き上げると、フラッパ弁２２が開弁して小洗浄が行われる。
一方、図５に示しているように鎖２８を引き上げると、フロート弁２４即ち排水弁１８全体が開弁して大洗浄が行われる。
【００４４】
図６は、図１の排水弁装置において洗浄タンク内の洗浄水を排出し終わったときの状態を、図２の排水弁装置と比較して表している。
図６（Ａ）に示しているように図１の排水弁装置では、洗浄タンク内の洗浄水が排出され終わった状態で、洗浄タンク内にはスペーサ部５４の高さ分だけ洗浄水が残水する。
一方図６（Ｂ）に示しているように図２の排水弁装置では、同様に洗浄タンク内の洗浄水が排出され終わった状態で、洗浄タンク内にはタンク側の弁座１４の高さ分だけ洗浄水が残水する。
即ち図１の排水弁装置では、大洗浄時に排出される洗浄水の水量が少量化され、節水が果たされる。
【００４５】
以上のような本実施形態の排水弁装置によれば、本来、排水弁１８を着座させるためのタンク側の弁座１４と排水弁１８との間にスペーサ部材５２を支うだけで、洗浄水の排出後の洗浄タンク内の残水高さをスペーサ部５４の高さに応じて高くすることができ、これにより洗浄水の排出水量を少量化し得て、節水を果たすことができる。
またこのスペーサ部材５２は、排水弁１８やオーバーフロー管等をその外側から大きく取り囲むものでないため、近年のコンパクトな洗浄タンク内にも支障無く設けることができ、このことによって周辺の他部材との干渉を生じるといった問題は特に生じない。
【００４６】
従って本実施形態の排水弁装置は、様々な洗浄タンクに対して適用することが可能であり、各種洗浄タンクに応じて節水を果たすことができる。
或いはまた現場の状況に応じて洗浄タンク内の残水量を、つまり洗浄水排出時の排出水量をスペーサ部５４の高さに応じコントロールすることができる。
また本実施形態の排水弁装置は、満水時における洗浄水の水面の位置を特に下げること無く節水を行うことができるため、洗浄水の排出時の水の勢いを強く確保でき、従って便器に対する洗浄能力を高く維持することができる。
【００４７】
本実施形態では、排水弁１８の脱着構造と同じ脱着構造でスペーサ部材５２をタンク底部１０に取り付け、更に同じ脱着構造で排水弁１８をスペーサ部材５２に取り付けるようにしているため、従来タンク底部１０のタンク側の弁座１４に着座状態にある排水弁１８を一旦取り外して、そこにスペーサ部材５２を取り付け、そしてそのスペーサ部材５２に排水弁１８を取り付けることで、簡単に既にある洗浄タンクにおいて洗浄水の排出水量を調節することができる。
またスペーサ部材５２のスペーサ部５４は排水弁１８と同軸に縦に即ち上下に配置してあるため、かかるスペーサ部材５２と洗浄タンク内の他部材との干渉をより効果的に回避することができる。
【００４８】
また本実施形態の排水弁装置の施工方法によれば、洗浄タンク或いは排水弁装置の設置現場において、洗浄タンクの種類や形態或いは現場の状況に応じて、その設置現場で容易に洗浄水の排出水量の調節作業を行うことができる。
【００４９】
図７及び図８は本発明の他の実施形態を示している。
この例は、スペーサ部材５２におけるスペーサ部５４を軸方向に伸縮可能となし、その高さを連続的に可変となした例である。
詳しくは、この実施形態ではスペーサ部５４が、上部５４-１と下部５４-２とに分割されており、そしてそれらが上部５４-１の外周面に形成された雄ねじ７４と、下部５４-２の内周面に形成された雌ねじ７６とによって互いにねじ結合されている。
尚、上部５４-１の下端部の外周面にはＯリング７８が保持されており、このＯリング７８が、下部５４-２の平滑な内周面に対し弾性接触させられることで、それらの間が水密にシールされている。
【００５０】
この実施形態では、上部５４-１を回転操作することで、上部５４-１が下部５４-２に対してねじ送りで上下に位置移動させられ、スペーサ部５４全体の高さが連続的に変化せしめられる。
従ってこの実施形態では、上部５４-１を回転操作してスペーサ部５４の高さを変えることで、洗浄タンク内の洗浄水を排出したときの洗浄タンク内の残水量を、そのスペーサ部５４の高さ変化に応じて自在に調節することができる。
そのため洗浄タンク内の洗浄水の節水量、つまり洗浄水の排出水量を洗浄タンクの種類や大きさ等に応じて、或いはまた洗浄タンクの設置されている現場の状況に応じて適正に簡単に調節することができる。
【００５１】
以上本発明の実施形態を詳述したがこれらはあくまで一例示である。
例えば本発明は図９に示すゴム球形式の排水弁を備えた排水弁装置に対して適用することも可能であるし、またその他様々な形態の排水弁装置に適用することが可能であるなど、本発明はその趣旨を逸脱しない範囲において種々変更を加えた形態，態様で構成，実施可能である。
【図面の簡単な説明】
【００５２】
【図１】本発明の一実施形態である洗浄タンクの排水弁装置を示す図である。
【図２】図１の比較例としての従来の洗浄タンクの排水弁装置を示す図である。
【図３】図１の排水弁装置を分解して示す図である。
【図４】図１のフラッパ弁の開閉弁状態を示す図である。
【図５】図１のフロート弁の開閉弁状態を示す図である。
【図６】図１及び図２の排水弁装置を、洗浄タンク内の洗浄水を排出し終わったときの状態で比較して示す図である。
【図７】本発明の他の実施形態を示す図である。
【図８】図７の排水弁装置を分解して示す図である。
【図９】従来の洗浄タンクの排水弁装置の一例を示す図である。
【符号の説明】
【００５３】
１０  タンク底部
１２  排水口
１４  弁座（タンク側弁座）
１８  排水弁
２０，５８  軸部
４６，５６  嵌合孔
５２  スペーサ部材
５４  スペーサ部
５４-１  上部
５４-２  下部
６２  着座部（スペーサ側着座部）
６４  排水口（スペーサ側排水口）
６６  弁座（スペーサ側弁座）
【図１】
2008019655.tif 000003
【図２】
2008019655.tif 000004
【図３】
2008019655.tif 000005
【図４】
2008019655.tif 000006
【図５】
2008019655.tif 000007
【図６】
2008019655.tif 000008
【図７】
2008019655.tif 000009
【図８】
2008019655.tif 000010
【図９】
2008019655.tif 000011